(57)【要約】  本発明の一形態に係るユーザ装置は、隣接セル又はカバレッジ外のユーザ装置により使用されるサイクリックプレフィクス長を検出するサイクリックプレフィクス長検出部と、サイクリックプレフィクス長の違い、同期タイミング差又は信号の送信に用いられるリソースの衝突による干渉を検出する干渉検出部とを有する。また、本発明の一形態に係る基地局は、ユーザ装置から、サイクリックプレフィクス長の違いによる干渉結果を受信する受信部と、受信した干渉結果に基づいて、リソースを設定するリソース割り当て部と、設定したリソースの情報をユーザ装置に送信する送信部とを有する。
2015170541.tif 000002
【特許請求の範囲】
【請求項１】
隣接セル又はカバレッジ外のユーザ装置により使用されるサイクリックプレフィクス長を検出するサイクリックプレフィクス長検出部と、
サイクリックプレフィクス長の違い、同期タイミング差又は信号の送信に用いられるリソースの衝突による干渉を検出する干渉検出部と、
を有するユーザ装置。
【請求項２】
前記サイクリックプレフィクス長検出部は、ユーザ装置間同期信号の相関検出、ユーザ装置間同期信号のパラメータの検出又は隣接セルの報知情報の受信により、隣接セル又はカバレッジ外のユーザ装置により使用されるサイクリックプレフィクス長を検出する、請求項１に記載のユーザ装置。
【請求項３】
隣接セルのユーザ装置との間で干渉が検出された場合、干渉が検出されたリソースのうち少なくとも一部において送信を停止する制御部を更に有する、請求項１又は２に記載のユーザ装置。
【請求項４】
サイクリックプレフィクス長の違いによる干渉結果を基地局に送信する送信部と、
前記基地局により干渉結果に基づいて設定されたリソースの情報を受信する受信部と、
前記基地局により設定されたリソースに信号をマッピングするマッピング部と、
を更に有する、請求項１乃至３のうちいずれか１項に記載のユーザ装置。
【請求項５】
カバレッジ外のユーザ装置との間でサイクリックプレフィクス長の違いによる干渉が検出された場合、カバレッジ外のユーザ装置に対して自セルのサイクリックプレフィクス長を通知する送信部を更に有する、請求項１乃至４のうちいずれか１項に記載のユーザ装置。
【請求項６】
ユーザ装置における干渉検出方法であって、
隣接セル又はカバレッジ外のユーザ装置により使用されるサイクリックプレフィクス長を検出するステップと、
サイクリックプレフィクス長の違い、同期タイミング差又は信号の送信に用いられるリソースの衝突による干渉を検出するステップと、
を有する干渉検出方法。
【請求項７】
ユーザ装置から、サイクリックプレフィクス長の違いによる干渉結果を受信する受信部と、
受信した干渉結果に基づいて、リソースを設定するリソース割り当て部と、
設定したリソースの情報をユーザ装置に送信する送信部と、
を有する基地局。
【請求項８】
前記リソース割り当て部は、隣接セルで使用されるリソースと重複しないリソースを自セルのユーザ装置に割り当てる、請求項７に記載の基地局。
【請求項９】
前記リソース割り当て部は、サイクリックプレフィクス長に基づいて使用するリソースを分割する、請求項７に記載の基地局。
【請求項１０】
基地局におけるリソース割り当て方法であって、
ユーザ装置から、サイクリックプレフィクス長の違いによる干渉結果を受信するステップと、
受信した干渉結果に基づいて、リソースを割り当て直すステップと、
設定したリソースの情報をユーザ装置に送信するステップと、
を有するリソース割り当て方法。
【発明の詳細な説明】
【技術分野】
【０００１】
本発明は、ユーザ装置、干渉検出方法、基地局及びリソース割り当て方法に関する。
【背景技術】
【０００２】
現在、３ＧＰＰ（3rd Generation Partnership Project）では、ＬＴＥ（Long Term Evolution）の次世代の通信規格として、ＬＴＥ−Ａｄｖａｎｃｅｄの高機能化を図る仕様策定が進められている。【０００３】
ＬＴＥシステム又はＬＴＥ−Ａｄｖａｎｃｅｄシステムでは、無線アクセス方式として、下りリンクにはマルチパス干渉に対する耐性が高く、サブキャリア数を変更することで広範囲な周波数帯域幅に柔軟に対応ができるＯＦＤＭＡ（Orthogonal Frequency Division Multiple Access）が用いられる。また、上りリンクには端末（以下、ユーザ装置ＵＥ：User Equipmentと呼ぶ）のピーク電力対平均電力比（ＰＡＰＲ：Peak-to-Average Power Ratio）の低減により低消費電力化が実現でき、ユーザ間の信号の直交化により干渉低減が図れるＳＣ−ＦＤＭＡ（Single Carrier-Frequency Division Multiple Access）が用いられる。【０００４】
直交周波数分割多重（ＯＦＤＭ：Orthogonal Frequency Division Multiplexing）では、各ＯＦＤＭシンボルの先頭にサイクリックプレフィックス（ＣＰ：Cyclic Prefix）と呼ばれるガード区間を設けることにより、前シンボルの遅延波が次のＯＦＤＭシンボルに及ぼすシンボル干渉およびサブキャリア間の直交性の崩れに起因するサブキャリア間干渉を除去している。
【先行技術文献】
【非特許文献】
【０００５】
【非特許文献１】3GPP TR 36.843 V12.0.1 (2014-03)
【発明の概要】
【発明が解決しようとする課題】
【０００６】
移動体通信では、ユーザ装置ＵＥと基地局ｅＮＢが通信を行うことによりユーザ装置ＵＥ間で通信を行うことが一般的であるが、近年、ユーザ装置ＵＥ間で直接に通信を行うことについての種々の技術が検討されている（非特許文献１参照）。ユーザ装置ＵＥ間で直接に通信を行うことをＤ２Ｄ（Device to Device）通信又はユーザ装置間通信と呼ぶ。【０００７】
Ｄ２Ｄ通信には、セル内のユーザ装置ＵＥの間で行われるＤ２Ｄ通信だけでなく、セル間のユーザ装置ＵＥの間で行われるＤ２Ｄ通信や、カバレッジ内のユーザ装置ＵＥとカバレッジ外のユーザ装置ＵＥとの間で行われるＤ２Ｄ通信も含まれる。【０００８】
ユーザ装置ＵＥは、基地局ｅＮＢからの報知情報（ＳＩＢ：System Information Block）等の上位レイヤのシグナリングにより通知されたＣＰ長を使用する。移動体通信で用いられるＣＰ長には、一般的に２種類の長さ（ｎｏｒｍａｌ  ＣＰ及びｅｘｔｅｎｄｅｄ  ＣＰ）が存在する。これらに加え、ｅｘｔｅｎｄｅｄ  ＣＰよりも長いＣＰ長を規定し，Ｄ２Ｄ通信で用いてもよい。セル内のユーザ装置ＵＥの間では、基地局ｅＮＢから通知された同じＣＰ長が用いられるが、セル間のユーザ装置ＵＥの間や、カバレッジ内外のユーザ装置ＵＥの間では、異なるＣＰ長が用いられる可能性がある。【０００９】
図１Ａは、セル間で異なるＣＰ長が用いられる例を示している。ユーザ装置ＵＥ１及びＵＥ２は、自セルの基地局ｅＮＢ１からのＳＩＢにより通知されたＣＰ長を使用し、ユーザ装置ＵＥ３は、自セルの基地局ｅＮＢ２からのＳＩＢにより通知されたＣＰ長を使用する。基地局ｅＮＢ１からのＳＩＢによりｎｏｒｍａｌ  ＣＰが通知され、基地局ｅＮＢ２からのＳＩＢによりｅｘｔｅｎｄｅｄ  ＣＰが通知された場合、ユーザ装置ＵＥ１は、ユーザ装置ＵＥ２からはｎｏｒｍａｌ  ＣＰを用いたＤ２Ｄ信号を受信するが、ユーザ装置ＵＥ３からはｅｘｔｅｎｄｅｄ  ＣＰを用いたＤ２Ｄ信号を受信する。【００１０】
このように、セル間で異なるＣＰ長が設定されたＤ２Ｄ信号（発見信号（discovery signal）、スケジューリング情報（ＳＡ：Scheduling Assignment）等を含む）が同時に送信された場合、Ｄ２Ｄ信号の干渉が生じ、ユーザ装置ＵＥ１は、Ｄ２Ｄ信号の受信性能が劣化する。【００１１】
また、図１Ｂは、カバレッジ内外で異なるＣＰ長が用いられる例を示している。ユーザ装置ＵＥ１及びＵＥ２は、自セルの基地局ｅＮＢ１からのＳＩＢにより通知されたＣＰ長を使用し、ユーザ装置ＵＥ３は、カバレッジ外の同期信号を送信するユーザ装置ＳＳ−ＵＥから通知されたＣＰ長、自身の判断で設定したＣＰ長又は予め定められたＣＰ長を使用する。基地局ｅＮＢ１からｎｏｒｍａｌ  ＣＰが通知され、ユーザ装置ＳＳ−ＵＥからｅｘｔｅｎｄｅｄ  ＣＰが通知された場合、ユーザ装置ＵＥ１は、ユーザ装置ＵＥ２からはｎｏｒｍａｌ  ＣＰを用いたＤ２Ｄ信号を受信するが、ユーザ装置ＵＥ３からはｅｘｔｅｎｄｅｄ  ＣＰを用いたＤ２Ｄ信号を受信する。【００１２】
このように、セル間で異なるＣＰ長が設定されたＤ２Ｄ信号（発見信号（discovery signal）、スケジューリング情報（ＳＡ：Scheduling Assignment）等を含む）が同時に送信された場合、Ｄ２Ｄ信号の干渉が生じる。【００１３】
図２は、ＣＰ長の違いによる干渉を示す図である。ユーザ装置ＵＥ２は、ｎｏｒｍａｌ  ＣＰを用いたＤ２Ｄ信号を送信し、また、ユーザ装置ＵＥ３は、ｅｘｔｅｎｄｅｄ  ＣＰを用いたＤ２Ｄ信号を送信する。これらのＤ２Ｄ信号が異なるリソースブロック（ＲＢ：Resource Block）で送信されたとしても、ユーザ装置ＵＥ１がｎｏｒｍａｌ  ＣＰに合わせたＦＦＴ（Fast Fourier Transform）ウィンドウを用いてユーザ装置ＵＥ２からのＤ２Ｄ信号の受信を試みた場合、ＣＰ長の違いにより、ユーザ装置ＵＥ３からのＤ２Ｄ信号が干渉となる。ＣＰ長が異なる場合に加え、Ｄ２Ｄ信号間が非同期の場合にも干渉が生じる。【００１４】
本発明は、ＣＰ長の違いを含む干渉を検出し、干渉を軽減又は回避することを目的とする。
【課題を解決するための手段】
【００１５】
本発明の一形態に係るユーザ装置は、
隣接セル又はカバレッジ外のユーザ装置により使用されるサイクリックプレフィクス長を検出するサイクリックプレフィクス長検出部と、
サイクリックプレフィクス長の違い、同期タイミング差又は信号の送信に用いられるリソースの衝突による干渉を検出する干渉検出部と、
を有することを特徴とする。【００１６】
また、本発明の一形態に係る干渉検出方法は、
ユーザ装置における干渉検出方法であって、
隣接セル又はカバレッジ外のユーザ装置により使用されるサイクリックプレフィクス長を検出するステップと、
サイクリックプレフィクス長の違い、同期タイミング差又は信号の送信に用いられるリソースの衝突による干渉を検出するステップと、
を有することを特徴とする。【００１７】
また、本発明の一形態に係る基地局は、
ユーザ装置から、サイクリックプレフィクス長の違いによる干渉結果を受信する受信部と、
受信した干渉結果に基づいて、リソースを設定するリソース割り当て部と、
設定したリソースの情報をユーザ装置に送信する送信部と、
を有することを特徴とする。【００１８】
また、本発明の一形態に係るリソース割り当て方法は、
基地局におけるリソース割り当て方法であって、
ユーザ装置から、サイクリックプレフィクス長の違いによる干渉結果を受信するステップと、
受信した干渉結果に基づいて、リソースを設定するステップと、
設定したリソースの情報をユーザ装置に送信するステップと、
を有することを特徴とする。
【発明の効果】
【００１９】
本発明によれば、ＣＰ長の違いを含む干渉を検出し、干渉を軽減又は回避することが可能になる。
【図面の簡単な説明】
【００２０】
【図１Ａ】セル間で異なるＣＰ長が用いられる例
【図１Ｂ】カバレッジ内外で異なるＣＰ長が用いられる例
【図２】ＣＰ長の違いによる干渉を示す図
【図３】本発明の実施例に係る通信システムの構成図（その１）
【図４】本発明の実施例に係る通信システムの構成図（その２）
【図５Ａ】ＣＰ長の通知のために用いられるＤ２ＤＳＳのシンボル位置の例（Ｄ２ＤＳＳのシンボル間隔を利用する例）
【図５Ｂ】ＣＰ長の通知のために用いられるＤ２ＤＳＳのシンボル位置の例（Ｄ２ＤＳＳのシンボル位置を利用する例）
【図５Ｃ】ＣＰ長の通知のために用いられるＤ２ＤＳＳのシンボル位置の例（Ｄ２ＤＳＳのシンボル間隔を利用する例）
【図６】ＣＰ長の通知のために用いられるＤ２ＤＳＳのパラメータの例
【図７】本発明の実施例に係る基地局の構成図
【図８】本発明の実施例に係る基地局におけるベースバンド信号処理部の構成図
【図９】本発明の実施例に係るユーザ装置の構成図
【図１０】本発明の実施例に係るユーザ装置におけるベースバンド信号処理部の構成図
【図１１】本発明の第１実施例に係るユーザ装置における干渉検出方法を示すフローチャート
【図１２Ａ】本発明の実施例に係るユーザ装置において検出されたリソースの重複を示す図（干渉タイプ１）
【図１２Ｂ】本発明の実施例に係るユーザ装置において検出されたリソースの重複を示す図（干渉タイプ２）
【図１３】本発明の実施例に係るユーザ装置において検出されたリソースの重複を有効活用する例を示す図
【図１４】本発明の第２実施例に係るユーザ装置における干渉回避方法を示すフローチャート
【図１５】本発明の実施例に係るユーザ装置による報告内容の例
【図１６Ａ】本発明の実施例に係る基地局により割り当てられるリソースの例（セル間で異なるリソースを割り当てる例）
【図１６Ｂ】本発明の実施例に係る基地局により割り当てられるリソースの例（セル間で同じリソースを割り当てる例）
【図１７】本発明の第３実施例に係るユーザ装置における干渉回避方法を示すフローチャート
【図１８】本発明の第３実施例に係る基地局における干渉回避方法を示すフローチャート
【図１９】本発明の第４実施例に係る通信システムにおける干渉回避方法のシーケンス図
【発明を実施するための形態】
【００２１】
以下、図面に基づいて本発明の実施例について説明する。
【００２２】
＜通信システムの概要＞
図３は、本発明の実施例に係る通信システムの構成図である。本発明の実施例に係る通信システムは、基地局ｅＮＢの配下に複数のユーザ装置ＵＥが存在するセルラー通信システムである。通信システムには、複数の基地局ｅＮＢ及び複数のユーザ装置ＵＥが存在するが、図３ではそのうちの２つの基地局ｅＮＢ１及びｅＮＢ２と、３つのユーザ装置ＵＥ１、ＵＥ２及びＵＥ３を示している。Ｄ２Ｄ通信を行うユーザ装置は、セル外（カバレッジ外）にも存在し得る。カバレッジ外にユーザ装置が存在する場合は、以下に図４を参照して説明する。
【００２３】
基地局ｅＮＢ１は、自セル１内のユーザ装置ＵＥ１及びＵＥ２とセルラー通信（以降、ＷＡＮと呼ぶ）のリソースを使用して通信する。同様に、基地局ｅＮＢ２は、自セル２内のユーザ装置ＵＥ３とＷＡＮのリソースを使用して通信する。ユーザ装置ＵＥ１は、基地局ｅＮＢ１及びｅＮＢ２を経由することなく、Ｄ２Ｄ通信のためのリソースを使用してユーザ装置ＵＥ２及びＵＥ３と直接に通信することができる。ＷＡＮのリソースとＤ２Ｄ通信のためのリソースは、周波数多重（ＦＤＭ：Frequency Division Multiplexing）、時間分割多重（ＴＤＭ：Time Division Multiplexing）、ＴＤＭとＦＤＭの組み合わせ等により多重されている。
【００２４】
セル１の基地局ｅＮＢ１は、報知情報（ＳＩＢ）等の上位レイヤのシグナリングにより、配下のユーザ装置ＵＥ１及びＵＥ２に対して信号の送信に用いるＣＰ長を通知する。同様に、セル２の基地局ｅＮＢ２は、報知情報（ＳＩＢ）等の上位レイヤのシグナリングにより、配下のユーザ装置ＵＥ３に対して信号の送信に用いるＣＰ長を通知する。ここでは、２種類のＣＰ長（ｎｏｒｍａｌ  ＣＰ及びｅｘｔｅｎｄｅｄ  ＣＰ）が使用されるものとする。ＣＰ長の種類は、２種類以上でもよい。
【００２５】
ユーザ装置ＵＥ１、ＵＥ２及びＵＥ３は、それぞれの基地局ｅＮＢ１及びｅＮＢ２から通知されたＣＰ長を用いてＤ２Ｄ信号（同期信号、発見信号、スケジューリング情報（ＳＡ）、データ等を含む）の送信を行う。
【００２６】
基地局ｅＮＢ１と基地局ｅＮＢ２から異なるＣＰ長が通知された場合、セル間で異なるＣＰ長が設定されたＤ２Ｄ信号が同時に送信される可能性がある。例えば、ユーザ装置ＵＥ２がｎｏｒｍａｌ  ＣＰを用いてＤ２Ｄ信号を送信し、同時にユーザ装置ＵＥ３がｅｘｔｅｎｄｅｄ  ＣＰを用いてＤ２Ｄ信号を送信した場合、Ｄ２Ｄ信号が干渉し、ユーザ装置ＵＥ１はＤ２Ｄ信号の受信性能が劣化する。
【００２７】
図４は、ユーザ装置ＵＥ３がカバレッジ外に存在する場合を示している。カバレッジ外のユーザ装置ＵＥ３は、Ｄ２ＤＳＳを送信するユーザ装置ＳＳ−ＵＥから通知されたＣＰ長を設定してもよく、自身の判断でＣＰ長を設定してもよいし、一部のＤ２Ｄ信号に固定のＣＰ長を設定してもよい。
【００２８】
ユーザ装置ＵＥ１及びＵＥ２は、基地局ｅＮＢ１から通知されたＣＰ長を用いてＤ２Ｄ信号（発見信号、スケジューリング情報（ＳＡ）等を含む）の送信を行い、ユーザ装置ＵＥ３は、ユーザ装置ＳＳ−ＵＥから通知されたＣＰ長、自身により判断したＣＰ長又は一部のＤ２Ｄ信号に固定のＣＰ長を用いてＤ２Ｄ信号の送信を行う。
【００２９】
この場合も同様に、セル間で異なるＣＰ長が設定されたＤ２Ｄ信号が同時に送信される可能性がある。例えば、ユーザ装置ＵＥ２がｎｏｒｍａｌ  ＣＰを用いてＤ２Ｄ信号を送信し、同時にユーザ装置ＵＥ３がｅｘｔｅｎｄｅｄ  ＣＰを用いてＤ２Ｄ信号を送信した場合、Ｄ２Ｄ信号が干渉し、ユーザ装置ＵＥ１はＤ２Ｄ信号の受信性能が劣化する。
【００３０】
このため、本発明の実施例では、以下の手法により干渉を検出し、干渉を軽減又は回避する。
【００３１】
（第１実施例）隣接セル又はカバレッジ外のユーザ装置により使用されるＣＰ長の検出（Ｄ２ＤＳＳの相関検出又はＤ２ＤＳＳのパラメータによる検出、隣接セルのＳＩＢの受信による検出）
（第２実施例）干渉を検出したリソースの一部での送信の停止
（第３実施例）干渉結果の基地局への報告及び基地局によるリソースの再割り当て
（第４実施例）カバレッジ外のユーザ装置へのＣＰ長の通知
それぞれの手法について以下に詳細に説明する。
【００３２】
＜第１実施例＞
本発明の第１実施例では、隣接セル又はカバレッジ外のユーザ装置により使用されるＣＰ長の検出について説明する。
【００３３】
ＣＰ長の検出のために、ユーザ装置間同期信号（Ｄ２ＤＳＳ：Device to Device Synchronization Signal）が使用されてもよい。Ｄ２ＤＳＳは、ユーザ装置間で送受信タイミングを一致させるために用いられる同期信号である。例えば、図３又は図４に示すセル端のユーザ装置ＵＥ１又はＵＥ３は、図５Ａ〜図５Ｃ及び図６を参照して以下に説明するＤ２ＤＳＳを送信してもよい。
【００３４】
図５Ａ〜図５Ｃは、ＣＰ長の通知のために用いられるＤ２ＤＳＳのシンボル位置の例である。Ｄ２ＤＳＳのＣＰ長がＳＡ及び／又は発見信号のＣＰ長と同じである場合、図５Ａに示すように、Ｄ２ＤＳＳはスロット内の複数のシンボル位置に配置されてもよい。例えば、Ｄ２ＤＳＳのシンボルが間隔を開けて所定のシンボル位置に配置された場合、ｎｏｒｍａｌ  ＣＰの場合のＤ２ＤＳＳのシンボル間隔は、ｅｘｔｅｎｄｅｄ  ＣＰの場合のＤ２ＤＳＳのシンボル間隔より大きくなる。ユーザ装置ＵＥ１又はＵＥ３は、Ｄ２ＤＳＳのシンボル間隔により、ＣＰ長を検出することが可能になる。より具体的には、ユーザ装置ＵＥ１又はＵＥ３が相関検出によりＤ２ＤＳＳを検出し、検出したＤ２ＤＳＳのシンボル間隔が所定の閾値より大きい場合、ユーザ装置ＵＥ１又はＵＥ３は、隣接セルにおいてｎｏｒｍａｌ  ＣＰが使用されていると判断することができる。一方、検出したＤ２ＤＳＳのシンボル間隔が所定の閾値より小さい場合、ユーザ装置ＵＥ１又はＵＥ３は、隣接セルにおいてｅｘｔｅｎｄｅｄ  ＣＰが使用されていると判断することができる。
【００３５】
また、図５Ｂに示すように、Ｄ２ＤＳＳは２つの連続するシンボル位置に配置されてもよい。ＣＰ長の違いにより、シンボルの送信間隔が異なるため、ユーザ装置ＵＥ１又はＵＥ３は、２種類のＣＰ長（例えば、ｎｏｒｍａｌ  ＣＰ用のＤ２ＤＳＳ送信間隔、ｅｘｔｅｎｄｅｄＣＰ用のＤ２Ｄ送信間隔（ｎｏｒｍａｌ  ＣＰ用のＤ２ＤＳＳ送信間隔＋１２μｓ）を想定して相関検出を行うことにより、ＣＰ長を検出することができる。
【００３６】
また、図５Ｃに示すように、Ｄ２ＤＳＳのＣＰ長がＳＡ及び／又は発見信号のＣＰ長と異なる場合、Ｄ２ＤＳＳのＣＰ長を固定し、Ｄ２ＤＳＳを配置するシンボル位置を変えることにより、ＳＡ及び／又は発見信号のＣＰ長が検出可能になる。例えば、Ｄ２ＤＳＳにはｅｘｔｅｎｄｅｄ  ＣＰが用いられるとすると、ＳＡ及び／又は発見信号のＣＰ長によって異なるＤ２ＤＳＳのシンボル間隔が用いられる。ｅｘｔｅｎｄｅｄ  ＣＰの場合、シンボル間隔１が使用され、ｎｏｒｍａｌ  ＣＰの場合、シンボル間隔２が使用される。ユーザ装置ＵＥ１又はＵＥ３は、Ｄ２ＤＳＳのシンボル位置により、ＣＰ長を検出することが可能になる。より具体的には、ユーザ装置ＵＥ１又はＵＥ３が相関検出によりＤ２ＤＳＳを検出し、検出したＤ２ＤＳＳのシンボル間隔がシンボル間隔１である場合、ユーザ装置ＵＥ１又はＵＥ３は、隣接セルにおいてｅｘｔｅｎｄｅｄ  ＣＰが使用されていると判断することができる。
【００３７】
また、Ｄ２ＤＳＳのパラメータを変えることにより、ＣＰ長が通知されてもよい。図６は、ＣＰ長の通知のために用いられるＤ２ＤＳＳのパラメータの例である。ＣＰ長によって異なるＤ２ＤＳＳの系列インデックス（sequence root index）、サイクリックシフト（ＮＣＳ）又は直交コード（ＯＣＣ：orthogonal cover code）等が用いられてもよい。
【００３８】
例えば、少なくとも２種類のＤ２ＤＳＳの系列が用意されている場合、ＣＰ長の通知のために系列インデックスが使用されてもよい。例えば、ｎｏｒｍａｌ  ＣＰには、少なくとも１つの系列インデックス（例えば、２９又は３４）が用いられてもよく、ｅｘｔｅｎｄｅｄ  ＣＰには別の少なくとも１つの系列インデックス（例えば、２５）が用いられてもよい。
【００３９】
例えば、１種類のＤ２ＤＳＳの系列が用意されている場合、ＣＰ長の通知のために系列のサイクリックシフトが用いられてもよい。例えば、ｎｏｒｍａｌ  ＣＰには、少なくとも１つのサイクリックプレフィクス（例えば、ＮＣＳ＝０）が用いられてもよく、ｅｘｔｅｎｄｅｄ  ＣＰには別の少なくとも１つのサイクリックプレフィクス（例えば、ＮＣＳ＝１１）が用いられてもよい。
【００４０】
例えば、１種類のＤ２ＤＳＳの系列が用意されている場合、ＣＰ長の通知のために直交コードが用いられてもよい。例えば、ｎｏｒｍａｌ  ＣＰには、少なくとも１つの直交コード（［＋１，＋１］）が用いられてもよく、ｅｘｔｅｎｄｅｄ  ＣＰには別の少なくとも１つの直交コード（［＋１，−１］）が用いられてもよい。なお、この場合には、Ｄ２ＤＳＳが少なくとも２つのシンボルに配置される必要がある。
【００４１】
このように、Ｄ２ＤＳＳのパラメータの違いによりＣＰ長が通知される場合であっても、ユーザ装置ＵＥ１又はＵＥ３は、Ｄ２ＤＳＳの相関検出を行うことにより、ＣＰ長を検出することができる。
【００４２】
＜基地局の構成＞
図７は、本発明の実施例に係る基地局（ｅＮＢ）１０の構成図である。基地局１０は、伝送路インターフェース１０１と、ベースバンド信号処理部１０３と、呼処理部１０５と、送受信部１０７と、アンプ部１０９とを有する。
【００４３】
下りリンクにより基地局１０からユーザ装置に送信されるデータは、上位局装置から伝送路インターフェース１０１を介してベースバンド信号処理部１０３に入力される。
【００４４】
ベースバンド信号処理部１０３では、ＰＤＣＰ（Packet Data Convergence Protocol）レイヤの処理、データの分割・結合、ＲＬＣ（Radio Link Control）再送制御の送信処理などのＲＬＣレイヤの送信処理、ＭＡＣ（Medium Access Control）再送制御、例えば、ＨＡＲＱ（Hybrid Automatic Repeat reQuest）の送信処理、スケジューリング、伝送フォーマット選択、チャネル符号化、逆高速フーリエ変換（ＩＦＦＴ：Inverse Fast Fourier Transform）処理、プリコーディング処理が行われる。また、下りリンク制御チャネルである物理下りリンク制御チャネルの信号に関しても、チャネル符号化や逆高速フーリエ変換等の送信処理が行われる。
【００４５】
呼処理部１０５は、通信チャネルの設定や解放等の呼処理や、基地局１０の状態管理や、無線リソースの管理を行う。
【００４６】
送受信部１０７は、ベースバンド信号処理部１０３から出力されたベースバンド信号を無線周波数帯に周波数変換する。アンプ部１０９は周波数変換された送信信号を増幅して送受信アンテナへ出力する。なお、複数の送受信アンテナが用いられる場合、複数の送受信部１０７及びアンプ部１０９が存在してもよい。
【００４７】
一方、上りリンクによりユーザ装置から基地局１０に送信される信号については、送受信アンテナで受信された無線周波数信号がアンプ部１０９で増幅され、送受信部１０７で周波数変換されてベースバンド信号に変換され、ベースバンド信号処理部１０３に入力される。
【００４８】
ベースバンド信号処理部１０３は、上りリンクで受信したベースバンド信号に含まれるデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース１０１を介して上位局装置に転送される。
【００４９】
図８は、本発明の実施例に係る基地局１０におけるベースバンド信号処理部１０３の構成図である。ベースバンド信号処理部１０３は、制御部１０３１と、下りリンク（ＤＬ）信号生成部１０３２と、マッピング部１０３３と、リソース割り当て部１０３４と、上りリンク（ＵＬ）信号復号部１０３５と、判定部１０３６とを有する。
【００５０】
制御部１０３１は、ベースバンド信号処理部１０３の全体の管理を行う。下りリンクによりユーザ装置に送信する信号については、伝送路インターフェース１０１から入力されたデータをＤＬ信号生成部１０３２に入力する。上りリンクによりユーザ装置から受信した信号については、ＵＬ信号復号部１０３５で復号されたデータを伝送路インターフェース１０１に入力する。
【００５１】
ＤＬ信号生成部１０３２は、ユーザ装置に送信する信号を生成する。ユーザ装置に送信する信号には、データ及び制御情報が含まれ、データは主にＰＤＳＣＨ（Physical Downlink Shared Channel）で送信され、ＰＤＳＣＨを受信するために必要な割り当て情報は、ＰＤＣＣＨ（Physical Downlink Control Channel）又はｅＰＤＣＣＨ（enhanced PDCCH）で送信される。また、ＤＬ信号生成部１０３２は、ＣＰ長を通知するための報知情報（ＳＩＢ）を生成する。
【００５２】
マッピング部１０３３は、ＰＤＳＣＨで送信するデータ及びＰＤＣＣＨ又はｅＰＤＣＣＨで送信する制御情報をスケジューリング部（図示せず）で決定されたリソースに配置する。
【００５３】
リソース割り当て部１０３４は、ユーザ装置に対してＷＡＮのリソース又はＤ２Ｄ通信のリソース（Ｄ２ＤＳＳ、ＳＡ、発見信号のリソースを含む）を割り当てる。また、リソース割り当て部１０３４は、ユーザ装置からＣＰ長の違いによる干渉結果を受信したときに、リソースを割り当て直す。異なるＣＰ長が混在する場合のリソース割り当て部１０３４の動作については、以下の第３実施例において詳細に説明する。
【００５４】
ＵＬ信号復号部１０３５は、上りリンクによりユーザ装置から受信した信号を復号する。ＰＵＳＣＨ（Physical Uplink Shared Channel）で受信したデータは、伝送路インターフェース１０１に提供するために制御部１０３１に入力し、ＰＵＣＣＨで受信した送達確認情報（ＡＣＫ／ＮＡＣＫ）も、ＨＡＲＱ等の再送処理のために制御部１０３１に入力する。
【００５５】
判定部１０３６は、ＰＵＳＣＨで受信した信号の再送判定を行う。ＰＵＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。
【００５６】
＜ユーザ装置の構成及び動作＞
図９は、本発明の実施例に係るユーザ装置２０の構成図である。ユーザ装置２０は、アプリケーション部２０１と、ベースバンド信号処理部２０３と、送受信部２０５と、アンプ部２０７とを有する。
【００５７】
下りリンクのデータについては、送受信アンテナで受信された無線周波数信号がアンプ部２０７で増幅され、送受信部２０５で周波数変換されてベースバンド信号に変換される。このベースバンド信号は、ベースバンド信号処理部２０３でＦＦＴ処理や、誤り訂正復号、再送制御の受信処理等がなされる。この下りリンクのデータのうち、下りリンクのデータは、アプリケーション部２０１に転送される。アプリケーション部２０１は、物理レイヤやＭＡＣレイヤより上位のレイヤに関する処理等を行う。
【００５８】
一方、上りリンクのデータは、アプリケーション部２０１からベースバンド信号処理部２０３に入力される。ベースバンド信号処理部２０３においては、再送制御の送信処理や、チャネル符号化、ＤＦＴ処理、ＩＦＦＴ処理を行う。送受信部２０５は、ベースバンド信号処理部２０３から出力されたベースバンド信号を無線周波数帯に変換する。その後、アンプ部２０７で増幅されて送受信アンテナより送信される。
【００５９】
図１０は、本発明の実施例に係るユーザ装置２０におけるベースバンド信号処理部２０３の構成図である。ベースバンド信号処理部２０３は、制御部２０３１と、送信信号生成部２０３２と、マッピング部２０３３と、受信信号復号部２０３４と、判定部２０３５と、Ｄ２Ｄ同期信号検出部２０３６と、隣接セル・カバレッジ外ＣＰ長検出部２０３７と、干渉検出部２０３８とを有する。図１０には、１つの受信信号復号部２０３４と、１つの判定部２０３５が示されているが、ベースバンド信号処理部２０３は、ＷＡＮ通信とＤ２Ｄ通信とで別々の受信信号復号部２０３４及び判定部２０３５を有してもよい。
【００６０】
制御部２０３１は、ベースバンド信号処理部２０３の全体の管理を行う。上りリンクにより基地局に送信する信号については、アプリケーション部２０１から入力されたデータを送信信号生成部２０３２に入力する。下りリンクにより基地局から受信した信号については、受信信号復号部２０３４で受信処理されたデータをアプリケーション部２０１に入力する。また、制御部２０３１は、ＣＰ長の違い、同期タイミング差又はＤ２Ｄ信号の時間・周波数リソースの衝突による干渉結果が検出された場合、送信の停止、Ｄ２Ｄ信号のマッピングの変更、カバレッジ外のユーザ装置ＵＥへのＣＰ長の通知等の制御を行う。異なるＣＰ長が混在する場合の制御部２０３１の動作については、以下の第２実施例〜第４実施例において詳細に説明する。
【００６１】
送信信号生成部２０３２は、基地局又は他のユーザ装置に送信する信号を生成する。基地局に送信する信号には、データ及び制御情報が含まれ、データは主にＰＵＳＣＨで送信される。また、基地局からＰＤＳＣＨで受信したデータの送達確認情報（ＡＣＫ／ＮＡＣＫ）はＰＵＣＣＨで送信される。基地局に送信する信号は、ＷＡＮのリソースで送信される。他のユーザ装置に送信する信号には、Ｄ２ＤＳＳ、ＳＡ、発見信号及びＤ２Ｄデータが含まれる。他のユーザ装置に送信する信号のうち、Ｄ２ＤＳＳ、ＳＡ及び発見信号は、基地局から通知されたＤ２Ｄ通信のための送信リソースプール内で送信される。他のユーザ装置に送信する信号のうちＤ２Ｄデータは、Ｄ２Ｄデータ通信のためのリソースプール内で送信されてもよく、ＷＡＮのリソースで送信されてもよい。
【００６２】
マッピング部２０３３は、ＰＵＳＣＨで送信するデータを基地局のスケジューリング部で決定されたリソースに配置する。また、マッピング部２０３３は、他のユーザ装置に送信するＤ２ＤＳＳ、ＳＡ及び発見信号を基地局から通知された送信リソースプール内に配置する。更に、マッピング部２０３３は、他のユーザ装置に送信するＤ２ＤデータをＳＡにより示されるリソースの割り当て位置にマッピングする。
【００６３】
受信信号復号部２０３４は、下りリンクにより基地局から受信した信号を復号し、ＰＤＳＣＨで受信したデータは、アプリケーション部２０１に提供するために制御部２０３１に入力する。受信信号復号部２０３４で基地局から受信される信号には、ＣＰ長を示す報知情報（ＳＩＢ）が含まれる。また、受信信号復号部２０３４は、他のユーザ装置から受信した信号を復号し、復号した信号に含まれるデータは、アプリケーション部２０１に提供するために制御部２０３１に入力する。受信信号復号部２０３４で他のユーザ装置から受信される信号には、ＳＡ、発見信号及びＤ２Ｄデータが含まれる。受信信号復号部２０３４で他のユーザ装置からの信号を受信する場合、Ｄ２Ｄ同期信号検出部２０３６で検出された同期情報および隣接セル・カバレッジ外ＣＰ長検出部２０３７で検出されたＣＰ長又は受信信号復号部２０３４で基地局から受信されたＣＰ長を用いてもよい。
【００６４】
判定部２０３５は、ＰＤＳＣＨで受信した信号の再送判定を行う。ＰＤＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。また、判定部２０３５は、受信したＤ２Ｄ信号の再送判定を行う。Ｄ２Ｄ信号の受信に成功した場合、再送の必要がないことを示す送達確認情報（ＡＣＫ）を生成し、Ｄ２Ｄ信号の受信に失敗した場合、再送の必要があることを示す送達確認情報（ＮＡＣＫ）を生成する。
【００６５】
Ｄ２Ｄ同期信号検出部２０３６は、他のユーザ装置から送信されたＤ２ＤＳＳを検出する。Ｄ２ＤＳＳには所定の信号系列が使用されるため、Ｄ２Ｄ同期信号検出部２０３６は、相関検出等により同期信号を検出することができる。
【００６６】
隣接セル・カバレッジ外ＣＰ長検出部２０３７は、隣接セル又はカバレッジ外のユーザ装置により使用されるＣＰ長を検出する。ＣＰ長は、Ｄ２ＤＳＳの相関検出又はＤ２ＤＳＳのパラメータの検出により検出されてもよく、隣接セルのＳＩＢの受信により検出されてもよい。Ｄ２ＤＳＳを検索するための時間ウィンドウは、基地局により設定されてもよい。
【００６７】
干渉検出部２０３８は、ＣＰ長の違い、同期タイミング差又はＤ２Ｄ信号の時間・周波数リソースの衝突による干渉を検出する。干渉検出部２０３８は、特定のリソースにおいて信号の受信に失敗し、且つ、当該リソースにおける受信エネルギーが閾値より大きい場合、干渉が発生していることを検出してもよい。また、干渉検出部２０３８は、他セルで使用される送信リソースプールの情報から、Ｄ２Ｄ信号の時間・周波数リソースの衝突による干渉が発生する可能性を検出してもよい。上記のように、隣接セル・カバレッジ外ＣＰ長検出部２０３７により、隣接セル又はカバレッジ外のユーザ装置により同じＣＰ長が使用されているか異なるＣＰ長が使用されているかが把握できる。干渉の発生が検出され、隣接セル又はカバレッジ外のユーザ装置により異なるＣＰ長が使用されている場合、干渉検出部２０３８は、ＣＰ長の違いにより干渉が発生していること（干渉タイプ１）を検出する。また、干渉の発生が検出され、隣接セル又はカバレッジ外のユーザ装置により同じＣＰ長が使用されている場合、干渉検出部２０３８は、セル間の同期タイミング差により干渉が発生していること（干渉タイプ２）を検出する。
【００６８】
干渉検出部２０３８により検出された干渉結果は、制御部２０３１に入力され、送信信号生成部２０３２により基地局に送信される信号として生成されてもよい。なお、干渉結果は、接続状態（RRC_Connected）のユーザ装置により基地局に報告されてもよい。
【００６９】
図１１は、本発明の第１実施例に係るユーザ装置における干渉検出方法を示すフローチャートである。
【００７０】
ユーザ装置２０の干渉検出部２０３８は、例えば、特定のリソースにおいて信号の受信に失敗し、且つ、当該リソースにおける受信エネルギーが閾値より大きいか否かを判断することにより、干渉を検出する（ステップＳ１０１）。また、干渉検出部２０３８は、他セルで使用される送信リソースプールの情報から、干渉が発生する可能性を検出してもよい。
【００７１】
隣接セル・カバレッジ外ＣＰ長検出部２０３７は、隣接セル又はカバレッジ外のユーザ装置により異なるＣＰ長が使用されているか否かを検出する（ステップＳ１０３）。上記のように、隣接セル又はカバレッジ外のユーザ装置により使用されているＣＰ長は、Ｄ２ＤＳＳの相関検出又はＤ２ＤＳＳのパラメータの検出により検出されてもよく、隣接セルのＳＩＢの受信により検出されてもよい。
【００７２】
干渉検出部２０３８により干渉が検出され、また、隣接セル又はカバレッジ外のユーザ装置により異なるＣＰ長が使用されている場合（ステップＳ１０３：Ｙ）、干渉検出部２０３８は、干渉タイプ１（干渉がＣＰ長の違いにより生じたもの）であると判断する（ステップＳ１０５）。また、上記のような干渉が発生しており、隣接セル又はカバレッジ外のユーザ装置により同じＣＰ長が使用されている場合（ステップＳ１０３：Ｎ）、干渉検出部２０３８は、干渉タイプ２（干渉が同期タイミング差により生じたもの）であると判断する（ステップＳ１０７）。干渉検出部２０３８により検出された干渉結果は、基地局に報告されてもよい。
【００７３】
このように、本発明の第１実施例によれば、ＣＰ長の違い又は同期タイミング差を含む干渉を検出することが可能になる。
【００７４】
＜第２実施例＞
本発明の第２実施例では、干渉を検出したリソースの一部での送信の停止について説明する。
【００７５】
本発明の第１実施例において説明したとおり、ユーザ装置ＵＥは、干渉タイプ１（干渉がＣＰ長の違いにより生じたもの）又は干渉タイプ２（干渉が同期タイミング差により生じたもの）を検出することができ、どのリソースがＤ２Ｄ信号に重複して割り当てられているかを検出することができる。図１２Ａ及び図１２Ｂは、本発明の実施例に係るユーザ装置において検出されたリソースの重複を示す図である。例えば、セル１のリソースの一部とセル２のリソースの一部が重複することにより、干渉が発生する。周波数リソースは同一でも、異なっても良い。
【００７６】
図１２Ａ及び図１２Ｂに示すように、干渉タイプ１又は干渉タイプ２が検出された場合、ユーザ装置ＵＥは、リソースが重複した部分において、Ｄ２Ｄ信号の送信を停止してもよい。上記のように、ユーザ装置の干渉検出部２０３８は、どのリソースにおいて干渉が発生しているかを検出することができる。干渉が検出されたリソースにおいて、制御部２０３１は、Ｄ２Ｄ信号の送信を停止するように制御してもよい。
【００７７】
図３又は図４に示すユーザ装置ＵＥ１及びＵＥ３の双方が干渉を検出してＤ２Ｄ信号の送信を停止した場合、重複したリソースが使用されず、リソースの利用効率が下がる可能性がある。このため、重複したリソースを予め複数のサブリソースに分割し、セル毎に使用可能なサブリソースを設定することにより、リソースの利用効率を向上させてもよい。
【００７８】
図１３は、本発明の実施例に係るユーザ装置において検出されたリソースの重複を有効活用する例を示す図である。図１３には、図１２Ａ又は図１２Ｂの重複したリソースが示されている。重複したリソースは、周波数軸上で予め複数のサブリソース（図１３では３つのサブリソース）に分割されてもよい。サブリソースの間にはガードバンドが設けられてもよい。分割されたサブリソースのうち、セル１のユーザ装置ＵＥ１は、干渉を検出した場合、セル１において使用可能なサブリソースでＤ２Ｄ信号を送信し、他のサブリソースでＤ２Ｄ信号の送信を停止する。同様に、セル２のユーザ装置ＵＥ３は、干渉を検出した場合、セル２において使用可能なサブリソースでＤ２Ｄ信号を送信し、他のサブリソースでＤ２Ｄ信号の送信を停止する。なお、セル毎に使用可能なサブリソースは、サービングセルのＰＳＳ（Primary Synchronization Channel）の系列番号（ＰＳＳ  ＮＩＤ）やＳＳＳ（Secondary Synchronization Channel）の系列番号等を含むセルＩＤまたはＶｉｒｔｕａｌセルＩＤなどを用いて、サービングセルに関連付けられてもよい。
【００７９】
図１４は、本発明の第２実施例に係るユーザ装置における干渉回避方法を示すフローチャートである。
【００８０】
ユーザ装置２０は、ベースバンド信号処理部２０３の送信信号生成部２０３２において生成されたＤ２Ｄ信号を送受信部２０５及びアンプ部２０７から送信する。また、ユーザ装置２０は、他のユーザ装置から送信されたＤ２Ｄ信号を受信信号復号部２０３４において受信する（ステップＳ２０１）。
【００８１】
干渉検出部２０３８は、例えば、特定のリソースにおいて信号の受信に失敗し、且つ、当該リソースにおける受信エネルギーが閾値より大きいか否かを判断することにより、干渉を検出する（ステップＳ２０３）。また、干渉検出部２０３８は、他セルで使用される送信リソースプールの情報から、干渉が発生する可能性を検出してもよい。
【００８２】
干渉が検出されたリソースにおいて、制御部２０３１は、送信信号生成部２０３２及びマッピング部２０３３に対してＤ２Ｄ信号の送信を停止させる（ステップＳ２０５）。制御部２０３１は、干渉が検出されたリソースのうち少なくとも一部においてＤ２Ｄ信号の送信を停止してもよい。例えば、制御部２０３１は、サービングセルに関連付けられたサブリソースでＤ２Ｄ信号の送信を停止してもよい。
【００８３】
このように、本発明の第２実施例によれば、干渉を回避することが可能になる。
【００８４】
＜第３実施例＞
本発明の第３実施例では、干渉結果の基地局への報告及び基地局によるリソースの再割り当てについて説明する。
【００８５】
本発明の第１実施例において説明したとおり、ユーザ装置ＵＥは、ＣＰ長の違いによる干渉結果を検出することができる。本発明の第３実施例では、ＣＰ長の違いによる干渉を回避するため、ユーザ装置ＵＥは、干渉結果を基地局ｅＮＢに報告する。基地局ｅＮＢは、ユーザ装置ＵＥからＣＰ長の違いによる干渉結果を受信した場合、リソースを割り当て直すことにより、干渉を回避する。
【００８６】
図１５は、本発明の実施例に係るユーザ装置による報告内容の例である。ユーザ装置ＵＥは、干渉を検出した場合、ＣＰ長、衝突したリソース、受信の失敗／衝突の数、検出されたＤ２ＤＳＳのタイミング差等を基地局に報告してもよい。報告はＰＵＣＣＨを用いてもよいし、ＰＵＳＣＨを用いてもよい。ＣＰ長は、隣接セル又はカバレッジ外のユーザ装置により使用されるＣＰ長である。ＣＰ長の代わりに又はＣＰ長に加えて、干渉タイプ１又は２が報告されてもよい。衝突したリソースは、干渉が発生したフレーム、サブフレーム、リソースブロック等を含んでもよい。受信の失敗／衝突の数は、干渉により受信に失敗したリソースを示す情報であり、所定の報告期間内の受信の失敗／衝突の確率でもよい。検出されたＤ２ＤＳＳのタイミング差は、セル間で送受信タイミングを同期させるために報告されてもよい。干渉結果の報告内容は、基地局によりリソースを割り当てるために使用されてもよい。
【００８７】
図１６Ａ及び図１６Ｂは、本発明の実施例に係る基地局により割り当てられるリソースの例である。基地局ｅＮＢは、図１６Ａに示すように、隣接セルで使用されるリソースと重複しないリソースを自セルのユーザ装置に割り当ててもよい。例えば、セル１で使用可能なリソースとセル２で利用可能なリソースは、時間的に分けられてもよい。セル１のユーザ装置は、セル１で使用可能なリソースを使用してＤ２Ｄ信号を送信し、セル２のユーザ装置は、セル２で使用可能なリソースを使用してＤ２Ｄ信号を送信する。このようにリソースを分けることにより、セル１の基地局ｅＮＢ１がｎｏｒｍａｌ  ＣＰを用いることを通知し、セル２の基地局ｅＮＢ２がｅｘｔｅｎｄｅｄ  ＣＰを用いることを通知したとしても、干渉を回避することが可能になる。
【００８８】
或いは、基地局ｅＮＢは、図１６Ｂに示すように、ｎｏｒｍａｌ  ＣＰを用いるユーザ装置により使用可能なリソースとｅｘｔｅｎｄｅｄ  ＣＰを用いるユーザ装置により使用可能なリソースとを分けてもよい。すなわち、隣接セルでｎｏｒｍａｌ  ＣＰが使用されるリソースを、自セルにおいてもｎｏｒｍａｌ  ＣＰが使用されるリソースとして使用し、隣接セルでｅｘｔｅｎｄｅｄ  ＣＰが使用されるリソースを、自セルにおいてもｅｘｔｅｎｄｅｄ  ＣＰが使用されるリソースとして使用する。ｎｏｒｍａｌ  ＣＰを用いるユーザ装置は、ｎｏｒｍａｌ  ＣＰで使用可能なリソースを使用してＤ２Ｄ信号を送信し、ｅｘｔｅｎｄｅｄ  ＣＰを用いるユーザ装置は、ｅｘｔｅｎｄｅｄ  ＣＰで使用可能なリソースを使用してＤ２Ｄ信号を送信する。このようにＣＰ長に基づいて使用するリソースを分割することにより、ＣＰ長の違いによる干渉を回避することが可能になる。
【００８９】
図１７は、本発明の第３実施例に係るユーザ装置における干渉回避方法を示すフローチャートである。
【００９０】
ユーザ装置２０は、ベースバンド信号処理部２０３の送信信号生成部２０３２において生成されたＤ２Ｄ信号を送受信部２０５及びアンプ部２０７から送信する。また、ユーザ装置２０は、他のユーザ装置から送信されたＤ２Ｄ信号を受信信号復号部２０３４において受信する（ステップＳ３０１）。
【００９１】
干渉検出部２０３８は、例えば、特定のリソースにおいて信号の受信に失敗し、且つ、当該リソースにおける受信エネルギーが閾値より大きいか否かを判断することにより、干渉を検出する（ステップＳ３０３）。また、干渉検出部２０３８は、他セルで使用される送信リソースプールの情報から、干渉が発生する可能性を検出してもよい。更に、隣接セル・カバレッジ外ＣＰ長検出部２０３７は、隣接セル又はカバレッジ外のユーザ装置により使用されるＣＰ長を検出し、干渉検出部２０３８は、干渉がＣＰ長の違いによるものであるか、セル間の同期タイミング差によるものであるかを検出してもよい。
【００９２】
干渉検出部２０３８により検出された干渉結果は、制御部２０３１に入力され、制御部２０３１は、送信信号生成部２０３２に対して、干渉結果を基地局に送信するための信号を生成させる。干渉結果は、送受信部２０５及びアンプ部２０７を介して送信される（ステップＳ３０５）。
【００９３】
受信信号復号部２０３４は、基地局により干渉結果に基づいて設定されたリソースの情報を受信する（ステップＳ３０７）。リソースの情報は、報知情報（ＳＩＢ）又はＲＲＣ（Radio Resource Control）シグナリング等の上位レイヤのシグナリングにより通知されてもよい。
【００９４】
制御部２０３１は、マッピング部２０３３３に対して、基地局により設定されたリソースにＤ２Ｄ信号をマッピングさせる（ステップＳ３０９）。その結果、基地局により設定された新たなリソース割り当てに基づいて、Ｄ２Ｄ信号が送受信される。
【００９５】
図１８は、本発明の第３実施例に係る基地局における干渉回避方法を示すフローチャートである
基地局の制御部１０３１は、報知情報（ＳＩＢ）によりＣＰ長をユーザ装置に通知する（ステップＳ３５１）。
【００９６】
基地局のＵＬ信号復号部１０３５は、ユーザ装置からＣＰ長の違いによる干渉結果を受信すると、干渉結果を制御部１０３１に入力する。基地局の制御部１０３１は、ユーザ装置から干渉結果を受信したことを検出すると（ステップＳ３５３：Ｙ）、リソース割り当て部１０３４に対してリソースを割り当て直すように指示する。リソース割り当て部１０３４は、他セルで使用されるリソースと重複しないリソースを自セルのユーザ装置に割り当て、割り当てたリソースの情報をＤＬ信号生成部１０３２及びマッピング部１０３３等を介してユーザ装置に通知する。或いは、リソース割り当て部１０３４は、ＣＰ長に基づいて使用するリソースを分割し、分割したリソースの情報をＤＬ信号生成部１０３２及びマッピング部１０３３等を介してユーザ装置に通知してもよい（ステップＳ３５５）。設定されたリソースの情報は、報知情報（ＳＩＢ）又はＲＲＣシグナリング等の上位レイヤのシグナリングによりユーザ装置により通知されてもよい。
【００９７】
このように、本発明の第３実施例によれば、ＣＰ長の違いによる干渉を回避することが可能になる。
【００９８】
＜第４実施例＞
本発明の第４実施例では、カバレッジ外のユーザ装置へのＣＰ長の通知について説明する。
【００９９】
図４を参照して説明したとおり、カバレッジ外のユーザ装置から異なるＣＰ長が設定されたＤ２Ｄ信号を受信することにより、干渉が発生する場合がある。このような干渉を回避するためには、カバレッジ外のユーザ装置に対してカバレッジ内のユーザ装置で使用するＣＰ長を通知することにより、ＣＰ長の違いによる干渉を回避することができる。
【０１００】
図１９は、本発明の第４実施例に係る通信システムにおける干渉回避方法のシーケンス図である。図１９は、カバレッジ内のユーザ装置ＵＥ１が、自セルの基地局ｅＮＢ１のＳＩＢにより通知されたｎｏｒｍａｌ  ＣＰを使用し、カバレッジ外のユーザ装置ＵＥ３が、同期信号を送信するユーザ装置ＳＳ−ＵＥにより通知されたｅｘｔｅｎｄｅｄ  ＣＰを使用することにより干渉が発生する場合について説明する。
【０１０１】
カバレッジ内のユーザ装置ＵＥ１は、自セルの基地局ｅＮＢ１のＳＩＢにより通知されたｎｏｒｍａｌ  ＣＰを用いて、Ｄ２Ｄ信号を送受信する（ステップＳ４０１）。一方、カバレッジ外のユーザ装置ＵＥ３は、ユーザ装置ＳＳ−ＵＥのＤ２ＤＳＳ等により通知されたｅｘｔｅｎｄｅｄ  ＣＰを用いて、Ｄ２Ｄ信号を送信する（ステップＳ４０３及びＳ４０５）。
【０１０２】
ユーザ装置の干渉検出部２０３８は、例えば、特定のリソースにおいて信号の受信に失敗し、且つ、当該リソースにおける受信エネルギーが閾値より大きいか否かを判断することにより、干渉を検出する（ステップＳ４０７）。また、干渉検出部２０３８は、他セルで使用される送信リソースプールの情報から、干渉が発生する可能性を検出してもよい。更に、隣接セル・カバレッジ外ＣＰ長検出部２０３７は、カバレッジ外のユーザ装置により異なるＣＰ長が使用されていることを検出する。
【０１０３】
干渉検出部２０３８によりカバレッジ外のユーザ装置との間でＣＰ長の違いによる干渉が検出された場合、ユーザ装置ＵＥ１の制御部２０３１は、送信信号生成部２０３２に対して、カバレッジ内のＣＰ長をカバレッジ外のユーザ装置ＵＥ３に通知するためのＤ２ＤＳＳの送信要求を生成させる。また、干渉検出部２０３８により検出された干渉結果は、制御部２０３１に入力され、制御部２０３１は、送信信号生成部２０３２に対して、干渉結果を基地局ｅＮＢ１に送信するための信号を生成させてもよい。Ｄ２ＤＳＳの送信要求及び干渉結果は、送受信部２０５及びアンプ部２０７を介して基地局ｅＮＢ１に送信される（ステップＳ４０９）。
【０１０４】
基地局ｅＮＢ１からＤ２ＤＳＳの送信許可を受信した場合（ステップＳ４１１）、ユーザ装置ＵＥ１の制御部２０３１は、送信信号生成部２０３２に対して、カバレッジ内のＣＰ長（ｎｏｒｍａｌ  ＣＰ）をカバレッジ外のユーザ装置ＵＥ３に通知するためのＤ２ＤＳＳを生成させる（ステップＳ４１３）。Ｄ２ＤＳＳはユーザ装置ＵＥ３に送信され、Ｄ２ＤＳＳを検出したユーザ装置ＵＥ３は、カバレッジ内のＣＰ長（ｎｏｒｍａｌ  ＣＰ）を採用する（ステップＳ４１５）。また、ユーザ装置ＵＥ３は、カバレッジ外の他のユーザ装置ＳＳ−ＵＥに対して、採用したＣＰ長（ｎｏｒｍａｌ  ＣＰ）を通知するためにＤ２ＤＳＳを送信してもよい（ステップＳ４１７）。
【０１０５】
このように、本発明の第４実施例によれば、カバレッジ外のユーザ装置が存在する場合にもＣＰ長の違いによる干渉を回避することが可能になる。
【０１０６】
＜本発明の実施例の効果＞
本発明の実施例によれば、ＣＰ長の違いを含む干渉を検出し、干渉を軽減又は回避することが可能になる。
【０１０７】
本発明の第１実施例によれば、Ｄ２ＤＳＳを用いることにより、ＣＰ長を隣接セル又はカバレッジ外のユーザ装置に通知することが可能になる。ＣＰ長の通知のためにＤ２ＤＳＳのシンボル位置を利用することにより、多くのリソースが必要となるが、複数のＤ２ＤＳＳの系列を用いる必要がなく、また、Ｄ２ＤＳＳの相関検出のみで簡単にＣＰ長を把握することが可能になる。更に、Ｄ２ＤＳＳのＣＰ長がＳＡ又は発見信号のＣＰ長と異なる場合であっても、ＣＰ長を把握することが可能になる。また、ＣＰ長の通知のためにＤ２ＤＳＳのパラメータを利用することによっても、Ｄ２ＤＳＳを処理することにより、ＣＰ長を把握することが可能になる。
【０１０８】
また、カバレッジ内のユーザ装置間でのＣＰ長の検出には、隣接セルの報知情報（ＳＩＢ）が用いられてもよい。ユーザ装置は、隣接セルの報知情報を受信することにより、Ｄ２ＤＳＳを検出しなくても、ＣＰ長を把握することが可能になる。
【０１０９】
本発明の第２実施例によれば、干渉が検出したときに、ユーザ装置の判断によってＤ２Ｄ信号の送信を停止することができるため、シグナリング負荷を増加させずに干渉を回避することが可能になる。一方、送信の停止によりリソースの利用効率が低下するが、重複したリソースを複数のサブリソースに分割することにより、リソースの利用効率を向上させることができる。
【０１１０】
本発明の第３実施例によれば、基地局による適切なリソースの設定により、干渉を回避させつつ、リソースの利用効率を向上させることができる。
【０１１１】
本発明の第４実施例によれば、カバレッジ外のユーザ装置との間でのＣＰ長の違いによる干渉を回避することが可能になる。
【０１１２】
説明の便宜上、本発明の実施例に係る基地局及びユーザ装置は機能的なブロック図を用いて説明しているが、本発明の実施例に係る基地局及びユーザ装置は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【０１１３】
以上、ＣＰ長の違いを含む干渉を検出し、干渉を軽減又は回避するための手法について説明したが、本発明は、上記の実施例に限定されることなく、請求の範囲内において、種々の変更・応用が可能である。
【０１１４】
本国際出願は２０１４年５月９日に出願した日本国特許出願２０１４−０９８１３４号に基づく優先権を主張するものであり、２０１４−０９８１３４号の全内容を本国際出願に援用する。
【符号の説明】
【０１１５】
１０      基地局
１０１    伝送路インターフェース
１０３    ベースバンド信号処理部
１０５    呼処理部
１０７    送受信部
１０９    アンプ部
１０３１  制御部
１０３２  下りリンク（ＤＬ）信号生成部
１０３３  マッピング部
１０３４  リソース割り当て部
１０３５  上りリンク（ＵＬ）信号復号部
１０３６  判定部
２０      ユーザ装置
２０１    アプリケーション部
２０３    ベースバンド信号処理部
２０５    送受信部
２０７    アンプ部
２０３１  制御部
２０３２  送信信号生成部
２０３３  マッピング部
２０３４  受信信号復号部
２０３５  判定部
２０３６  Ｄ２Ｄ同期信号検出部
２０３７  隣接セル・カバレッジ外ＣＰ長検出部
２０３８  干渉検出部
【図１Ａ】
2015170541.tif 000003
【図１Ｂ】
2015170541.tif 000004
【図２】
2015170541.tif 000005
【図３】
2015170541.tif 000006
【図４】
2015170541.tif 000007
【図５Ａ】
2015170541.tif 000008
【図５Ｂ】
2015170541.tif 000009
【図５Ｃ】
2015170541.tif 000010
【図６】
2015170541.tif 000011
【図７】
2015170541.tif 000012
【図８】
2015170541.tif 000013
【図９】
2015170541.tif 000014
【図１０】
2015170541.tif 000015
【図１１】
2015170541.tif 000016
【図１２Ａ】
2015170541.tif 000017
【図１２Ｂ】
2015170541.tif 000018
【図１３】
2015170541.tif 000019
【図１４】
2015170541.tif 000020
【図１５】
2015170541.tif 000021
【図１６Ａ】
2015170541.tif 000022
【図１６Ｂ】
2015170541.tif 000023
【図１７】
2015170541.tif 000024
【図１８】
2015170541.tif 000025
【図１９】
2015170541.tif 000026
【国際調査報告】
2015170541.tif 000027
2015170541.tif 000028
2015170541.tif 000029
2015170541.tif 000030